(57)【要約】  【課題】  光ピックアップ装置において、対物レンズがトラッキング方向に移動する際に発生する迷光を無くすこと。  【解決手段】  対物レンズを上端周面に擁した四角筒のレンズ保持部１と、その両側の第２の四角筒２とが一体化された形状の対物レンズホルダ１０のレンズ保持部１の上端に第２の筒体側に突出する突設板５を設ける。その突設板５により、レンズホルダ１０がトラッキング方向に移動した際、その移動の向きとは反対側の第２の四角筒２側に覗いたコリメータレンズ６から光ディスク側に向かう迷光を遮る【選択図】      図２
2006155809.tif 000002
【特許請求の範囲】
【請求項１】
基台に光源とコリメータレンズが搭載され、その基台に組み付けられたアクトベース上
に、前記光源からコリメータレンズを経て平行となった光を光ディスクに集束する対物レ
ンズと、その対物レンズホルダと、その対物レンズホルダを前記光ディスクに対してフォ
ーカス方向とトラッキング方向に移動させる移動機構とが搭載されており、前記アクトベ
ースの表面からトラッキング方向に対向する一組のチルト用ヨークが立ち上がった構造を
有する光ピックアップ装置において、
前記対物レンズホルダは、一端にレンズを保持する第１の筒体と、その第１の筒体に、
その筒軸を対称軸にして対向配置された第２の筒体とが一体化された形状を成し、両第２
の筒体の筒軸は前記第１の筒体の筒軸と平行となっており、ホルダを前記アクトベース上
の所定の位置に取り付けると、対物レンズの光軸たる第１の筒軸が前記コリメータレンズ
の光軸と一致し、かつ、前記チルト用ヨークのそれぞれが前記第２の筒体のそれぞれに囲
まれるようになっており、第１の筒体の前記ヨークの上端より上方の位置に第２の筒体側
に突出する突設部が設けられており、その突設部により、前記対物レンズがトラッキング
方向に移動した際、その移動の向きとは反対側の第２の筒体側に覗いたコリメータレンズ
から光ディスク側に向かう迷光を遮るようになっていることを特徴とする光ピックアップ
装置。
【請求項２】
請求項１に記載の光ピックアップ装置において、上記突設部が上記第２の筒体の上側開
口を覆い、ホルダ全体とし直方体の外形を成すように形成したことを特徴とする光ピック
アップ装置。
【請求項３】
請求項１または２のいずれかに記載の光ピックアップ装置を備えた光ディスク装置。
【発明の詳細な説明】
【技術分野】
【０００１】
本発明は、光ディスクに対する情報の記録や再生に使用される光ピックアップ装置に関
し、詳しくは、トラッキング動作の際に発生する迷光を防ぐための構造の改良に関する。
【背景技術】
【０００２】
上記光ピックアップ装置の基本的な構成を、分解斜視図で図４に示す。光ピックアップ
装置３０は、光ディスクに対する情報の読み出しや書き込みを行うための光学系を有し、
その光学系は、レーザダイオード等の光源３１と、その光源３１からの出射光を通過させ
て平行光にするコリメータレンズ３２と、そのコリメータレンズ３２を通過した平行光を
集束して光ディスクに照射する対物レンズ３３と、その対物レンズ３３を保持してフォー
カス方向(垂直方向)とトラッキング方向(水平方向)に移動可能となった対物レンズホルダ
５０とを備えている。
【０００３】
通常、前記光学系の内、光源３１とコリメータレンズ３２とは、光ピックアップ装置(
以下、簡単にピックアップともいう)の基台１００に搭載され、前記対物レンズ３３を擁
した対物レンズホルダ５０はその基台１００の上に組み付けられるアクトベース４０上に
搭載される。
【０００４】
このアクトベース４０上には、対物レンズホルダ５０以外に、その対物レンズホルダ５
０をフォーカス方向とトラッキング方向に移動させる移動機構が搭載されている。その移
動機構を駆動するのは電磁回路であって、アクトベース４０の表面からは、トラッキング
用とチルト用のヨークが立ち上がっている。チルト用ヨーク３４は図のｘ軸の方向に対応
するトラッキング方向に対向しており、それぞれにチルト用コイル３５が巻き回される。
【０００５】
フォーカス用コイル３６は以下に詳細な構造を説明する対物レンズホルダ５０の周面を
取り囲むような形で取り付けられており、その内周面に四つのトラッキング用コイル３７
が装着されている。
【０００６】
また、フォーカス用コイル３６が巻き回された対物レンズホルダ５０をトラッキング方
向に直交する方向(図のｙ軸の方向)に挟む形で一対の対向磁石３８が設けられている。こ
の磁石３８のそれぞれの裏面の位置にはバックヨーク３９が設けられている。
【０００７】
次に、前記対物レンズホルダ５０の構造について説明する。図５は図４に斜視図で示し
た対物レンズホルダ５０を二次元図面で示したものであり、(a)が平面図、（ｂ）が正面
図、（ｃ）が底面図、（ｄ）が側面図である。なお、（ａ）の平面図にはチルトヨーク３
４も併せて示している。
【０００８】
対物レンズホルダ５０は、図に示すように、レンズ保持部５１たる四角筒の一組の対向
側面のそれぞれに、一部切り欠きを有する第２の四角筒５２が左右対称に一体化して付設
された形状を成している。対物レンズ３３は、（ａ）の平面図に示すように、レンズ保持
部５１の上側開口面周縁に保持プレート５３を介して保持されている。
【０００９】
この対物レンズホルダ５０をアクトベース上に取り付ける際、そのレンズ保持部５１の
底面側開口中心をアクトベース上に形成された光路用開口の中心に合わせ、かつ、その長
手方向、すなわち、三つの筒の並び方向をトラッキング方向に沿って載置する。そうする
と、レンズ保持部５１の両側の四角筒５２の部分に、アクトベースの表面から立ち上がっ
ている一組の対向チルト用ヨーク３４のそれぞれが貫入してきて、（ａ）の平面図に示す
ように、それらチルト用ヨーク３４がその四角筒５２の筒枠に囲まれるようになっている
。
【００１０】
またその時、前記チルト用ヨーク３４の上端は対物レンズホルダ５０のレンズ保持部５
１の上縁よりも低い位置に来るような寸法形状になっている。
【００１１】
以上のような構成は一般の光ピックアップ装置に共通なものであり、公知文献としては
下記特許文献１を参照されたい。
【００１２】
ところで、以上のような構成を有した光ピックアップ装置では以下のような問題を有し
ている。トラッキング動作の際、対物レンズホルダ５０はその三つの筒５１、５２の並び
の方向に移動するが、その際、迷光が発生するという問題である。その迷光の発生原理に
ついて以下に説明する。
【００１３】
図６は対物レンズホルダ５０が取り付けられたアクトベース上の対物レンズホルダ５０
の部分のみを真上から見た平面図である。（ａ）は、対物レンズホルダ５０が移動する前
の状態を示し、(ｂ)はトラッキング方向に移動した後の状態を示したものである。図中、
中央の実線の円が対物レンズ３３であり、（ａ）において、その実線の円と同心で破線で
描いた大きな円がコリメータレンズ３２を示している。また、３４はチルト用ヨークの上
端である。
【００１４】
また、図７は、対物レンズ３３とコリメータレンズ３２との位置関係、および光源３１
から発射された光の光ディスクに対する照射の状態を側面図で模式的に示したものである
。（ａ）が対物レンズの移動前、（ｂ）が移動後の状態を示している。
【００１５】
図６（ａ）および図７（ａ）に示すように、対物レンズホルダ５０の移動前は対物レン
ズ３３の光軸とコリメータレンズ３２の光軸が一致しており、両レンズ３２、３３は同心
円の形を採るが、図６（ｂ）に示すように、レンズホルダ５０が移動すると、その移動方
向とは反対側の四角筒５２の枠の中に下方のコリメータレンズ３２のハッチングを示した
部分３２‘が覗く形となる。
【００１６】
そうすると、図７（ｂ）に示すように、このコリメータレンズ３２から光ディスク６０
側に向かう光の一部は対物レンズ３３を通過せず、集束されない状態で光ディスク６０に
到達する。
【００１７】
従って、そのような光は本来の情報の読み出しや書き込みをすべき位置から外れて光デ
ィスク６０に到達するので、その反射成分が受光素子側に到達すると、ジッタが悪化して
性能が劣化するという問題があった。
【特許文献１】特開２００４−１３９６８０号公報（第１図）
【発明の開示】
【発明が解決しようとする課題】
【００１８】
そこで、本発明は、光ピックアップ装置において、対物レンズがトラッキング方向に移
動する際に発生する迷光を無くすことを目的とする。
【課題を解決するための手段】
【００１９】
上記目的を達成するため、本発明は、基台に光源とコリメータレンズが搭載され、その
基台に組み付けられたアクトベース上に、前記光源からコリメータレンズを経て平行とな
った光を光ディスクに集束する対物レンズと、その対物レンズホルダと、その対物レンズ
ホルダを前記光ディスクに対してフォーカス方向とトラッキング方向に移動させる移動機
構とが搭載されており、前記アクトベースの表面からトラッキング方向に対向する一組の
チルト用ヨークが立ち上がった構造を有する光ピックアップ装置において、
前記対物レンズホルダは、一端にレンズを保持する第１の筒体と、その第１の筒体に、
その筒軸を対称軸にして対向配置された第２の筒体とが一体化された形状を成し、両第２
の筒体の筒軸は前記第１の筒体の筒軸と平行となっており、ホルダを前記アクトベース上
の所定の位置に取り付けると、対物レンズの光軸たる第１の筒軸が前記コリメータレンズ
の光軸と一致し、かつ、前記チルト用ヨークのそれぞれが前記第２の筒体のそれぞれに囲
まれるようになっており、第１の筒体の前記ヨークの上端より上方の位置に第２の筒体側
に突出する突設部が設けられており、その突設部により、前記対物レンズがトラッキング
方向に移動した際、その移動の向きとは反対側の第２の筒体側に覗いたコリメータレンズ
から光ディスク側に向かう迷光を遮るようになっている構成としたのである。
【発明の効果】
【００２０】
本発明は、上記のように構成したので、対物レンズホルダがトラッキング方向へ移動す
る際、上記迷光遮断用の突設部により、移動の向きとは反対側のチルト用ヨークの立ち上
がり近傍から覗くコリメータレンズからディスク側へ抜けようとする迷光を遮断すること
ができる。
【００２１】
この迷光の遮断により、本発明の光ピックアップ装置を搭載した光ディスク装置は光デ
ィスクに対する情報の読み出しおよび書き込みが精度よく行え、対象となる光ディスクが
音声用のもの（ＣＤ）であれば、迷光発生時に生じていた音声の劣化が、また、映像用の
もの（ＤＶＤ）であれば、画像の乱れが阻止される。
【発明を実施するための最良の形態】
【００２２】
以下、この発明の実施の形態を図面を参照して説明する。本発明の主眼に関わる構成は
前出の図４で示した対物レンズホルダの構成であり、他の部品の構成や、本実施形態の対
物レンズホルダを含めた光ピックアップ装置の基本動作は従来例の項で述べた通りである
ので、それらの説明は省略し、以下、本実施形態の対物レンズホルダの構造について説明
する。図１はその対物レンズホルダ１０を抜き出して二次元図で描いたものである。(a)
が平面図、（ｂ）が正面図、（ｃ）が底面図、（ｄ）が側面図である。図中、(a)の平面
図には、下方に位置するコリメータレンズ６の外形を破線で示している。
【００２３】
図に示したように、この対物レンズホルダ１０(以下、簡単にホルダ１０ともいう)は、
対物レンズ４を保持する四角筒のレンズ保持部１と、そのレンズ保持部１に、その筒軸を
対称軸にして対向配置された一部切り欠きを有する第２の四角筒２とが一体化された形状
を成している。対物レンズ４はレンズ保持部１の上端開口周縁に、取り付けプレート３を
介して取り付けられている。
【００２４】
両側の第２の四角筒２の筒軸はレンズ保持部１の筒軸と平行となっており、ホルダ１０
をアクトベース上の所定の位置に取り付けた場合、(a)の平面図に示すように、この両側
の四角筒２の枠内にチルト用ヨーク３４が貫入してきて、四角筒２がチルトヨーク３４を
囲む構造になっている。ここまでの構成は前記した従来例のホルダの構成と同じである。
【００２５】
この発明の特徴たる構成は以下のようである。すなわち、上記構成に加えて、この第１
の実施形態のレンズホルダ１０は、中央のレンズ保持部１の筒の上縁において、三つの筒
が並んだ方向の対向辺のそれぞれから側方の第２の四角筒２へ突出する突設板５が設けら
れていることである。
【００２６】
この突設板５の縁部は曲線を成している。図２は、このような形状の対物レンズホルダ
１０に対物レンズ４を搭載し、それをアクトベース上の所定の位置に取り付けた状態を平
面図で示したものである。図中、破線で描いた円は、この対物レンズホルダ１０が搭載さ
れたアクトベースの下方に位置するコリメータレンズ６である。なお、この図２において
もチルト用ヨーク(インナーヨーク)３４を示している。
【００２７】
図２（ａ）は対物レンズホルダ１０がトラッキング動作を行っていない原点の状態を示
している。この原点状態では、対物レンズ４とコリメータレンズ６の光軸は一致している
。すなわち、図中、対物レンズ４を表す実線の小円とコリメータレンズ６を表す破線の大
円とは同心円になっており、その同心軸が両者の光軸である。
【００２８】
また、図２（ｂ）は、（ａ）の状態からレンズホルダ１０が電磁回路で駆動されてトラ
ッキング方向に移動した後の状態を示している。
【００２９】
図２（ｂ）から理解されるように、この実施形態のレンズホルダ１０では、それが移動
しても、その移動方向とは反対側の側方の四角筒２の部分では、前記突設板５により、コ
リメータレンズ６の部分が覆われて、コリメータレンズ６からディスク側に向かおうとす
る光、すなわち迷光が遮断されるようになっている。
【００３０】
以上のようにして、この実施形態の光ピックアップ装置では、本発明の特徴である対物
レンズホルダ１０の突設板５によってコリメータレンズ６側からの迷光が遮断されるので
、光ディスクに対する情報の読み取りおよび書き込みについての性能劣化を防ぐことがで
きる。
【００３１】
(第２の実施形態)
図３に、第２の実施形態の対物レンズホルダ２０を斜視図で示す。図に示したように、
この第２の実施形態の対物レンズホルダ２０は、第１の実施形態のレンズホルダ１０のよ
うに、中央に高さの高いいレンズ保持部１があり、その両側に高さの低い四角の筒枠２が
一体化された凹凸のある形状ではなく、上面がフラットな直方体を成している。
【００３２】
内部は縦方向の二つの壁で仕切られて三つの直方体の部屋が形成されている。中央の直
方体が対物レンズ４の保持部１１でその上面中央と底面中央を結ぶ軸が直方体の保持部１
１の対称軸になっている。その対称軸を中心とする円の開口が上面と底面に形成されてお
り、上面開口の周縁に対物レンズ４が取り付けプレート１３を介して取り付けられている
。対称軸は対物レンズ４の光軸になっている。
【００３３】
他方、そのレンズ保持部１１の両隣の部屋１２は、その底面に四角の開口が形成されて
おり、レンズホルダ２０をアクトベース上に載置した際、その底面の開口からアクトベー
ス上のチルト用ヨークが貫入し、ヨークはその部屋１２の四方の壁と屋根で囲まれるよう
になっている。
【００３４】
すなわち、この第２の実施形態では、第１の実施形態のように、迷光遮断用の突設部突
設板という突設形態にするのではなく、ホルダ全体を直方体に形成して三つの部屋に仕切
り、その左右両側の部屋１２の屋根に相当する面１２‘で迷光を遮断するようにしたので
ある。
【００３５】
このような単純な形状にしたので、対物レンズホルダ２０の製作は簡単な上、第１の実
施形態のものの突設板５が、その始点の位置で欠損し易い形状のものであるのと異なり、
迷光遮断部がレンズホルダ２０の構成面の一部となっているので、強度的にも安定したも
のとなる。
【産業上の利用可能性】
【００３６】
この発明は光ピックアップ装置と、それを備えた光ディスク装置一般に広く適用できる
。
【図面の簡単な説明】
【００３７】
【図１】は、本実施形態の対物レンズホルダを(a)に正面図で、（ｂ）に側面図、（ｃ）に平面図、（ｄ）に底面図で示したものである。
【図２】は、（ａ）に、対物レンズホルダがトラッキング動作を行っていない原点の状態を平面図で示し、（ｂ）にトラッキング方向に移動した後の状態を平面図で示したものである。
【図３】は、第２の実施形態の対物レンズホルダを斜視図で示したものである。
【図４】は、光ピックアップ装置の基本構成を分解斜視図で示したものである。
【図５】は、従来の対物レンズホルダを(a)に正面図で、（ｂ）に側面図、（ｃ）に平面図、（ｄ）に底面図で示したものである。
【図６】は、（ａ）に、従来の対物レンズホルダがトラッキング動作を行っていない原点の状態を平面図で示し、（ｂ）にトラッキング方向に移動した後の状態を平面図で示したものである。
【図７】は、従来例の不具合を側面図で模式的に示したものであり、（ａ）が、対物レンズがトラッキング動作を行っていない原点の状態、（ｂ）がトラッキング方向に移動した後の状態である。
【符号の説明】
【００３８】
１、１１    レンズ保持部
２    第２の四角筒
４    対物レンズ
５    突設板
６    コリメータレンズ
１０、２０  レンズホルダ
【図１】
2006155809.tif 000003
【図２】
2006155809.tif 000004
【図３】
2006155809.tif 000005
【図４】
2006155809.tif 000006
【図５】
2006155809.tif 000007
【図６】
2006155809.tif 000008
【図７】
2006155809.tif 000009